(57)【要約】【課題】  ダイヤル錠とシリンダーとを組み合わせた複合式ロックを提供する。【解決手段】  複合式ロック１０は、基座２０と、ロックユニット３０と、係止部４３を有するスライドユニット４０と、回転つまみ５０と、ダイヤル錠６０と、スライドユニット４０に装着される位置決めユニット７０と、弾性ユニット７５と、シリンダー８０とを備える。ダイヤル錠６０が解錠状態でシリンダー８０が施錠状態である場合、回転つまみ５０が第二角度に回転すると、位置決めユニット７０はスライドユニット４０によりダイヤル錠６０の嵌合槽６３に嵌め込まれ、ロックユニット３０と係止部４３は分離される。ダイヤル錠６０が施錠状態でシリンダー８０が解錠状態である場合、シリンダー８０の先端部８２は位置決めユニット７０をダイヤル錠６０から分離するように押し、回転つまみ５０が第二角度に回転すると、ロックユニット３０と係止部４３は分離される。【選択図】  図１
0003116315.tif 000002
【実用新案登録請求の範囲】
【請求項１】
基座と、
基座に装着され、かつ基座に対しずれて回転可能である少なくとも一つのロックユニットと、
基座に装着され、少なくとも一つの係止部を有し、解錠位置と結合位置との間で移動可能であり、かつ解錠位置に据えられる場合、係止部とロックユニットとを分離し、結合位置に据えられる場合、係止部とロックユニットとを結合させるスライドユニットと、
基座に装着され、第一角度と第二角度の間で移動し、かつスライドユニットを移動させることが可能である回転つまみであって、第一角度に回転している場合、スライドユニットは結合位置に据えられ、第二角度に回転している場合、スライドユニットは解錠位置に据えられる回転つまみと、
基座に装着され、複数の回転盤を有し、回転盤のそれぞれが嵌合槽を有するダイヤル錠であって、解錠状態を呈する場合、嵌合槽は互いに繋がり、施錠状態を呈する場合、嵌合槽は相互に交錯するダイヤル錠と、
スライドユニットに移動可能に装着され、かつスライドユニットの駆動により、嵌合槽に嵌め込まれる、あるいは嵌合槽と分離される位置決めユニットと、
基座と位置決めユニットとの間に装着され、弾力により位置決めユニットを押してダイヤル錠の回転盤に移動させる弾性ユニットと、
基座に装着され、先端部を有し、解錠状態を呈する場合、先端部は位置決めユニットを押し、かつ位置決めユニットをダイヤル錠から遠く分離するように押し、施錠状態を呈する場合、先端部と位置決めユニットとは相互に分離されるシリンダーと、を備え、
ダイヤル錠が解錠状態を呈する場合、シリンダーは施錠状態を呈し、回転つまみが第二角度に回転している場合、位置決めユニットはスライドユニットにより駆動され、ダイヤル錠の嵌合槽に嵌め込まれ、かつロックユニットと係止部とは相互に分離され、ロックユニットは基座に対しずれて回転可能であり、ダイヤル錠が施錠状態を呈する場合、シリンダーは解錠状態を呈し、シリンダーの先端部は位置決めユニットをダイヤル錠から分離するように押し、回転つまみが第二角度に回転している場合、ロックユニットと係止部とは相互に分離されることを特徴とする複合式ロック。
【請求項２】
位置決めユニットは柱体及びストッパーを有し、スライドユニットは第一貫通孔及び第二貫通孔を有し、柱体は第一貫通孔に装着され、ストッパーは第二貫通孔に装着され、かつダイヤル錠のそれぞれの嵌合槽に嵌め込まれる、あるいは嵌合槽と分離されることを特徴とする請求項１に記載の複合式ロック。
【請求項３】
回転つまみは凸柱を有し、スライドユニットはガイド槽を有し、回転つまみが基座に装着されている場合、凸柱がガイド槽内に位置付けられることでスライドユニットを移動可能であることを特徴とする請求項１に記載の複合式ロック。
【請求項４】
シリンダーの先端部は斜面を有し、シリンダーが基座に装着されている場合、先端部は位置決めユニットに対応する位置に据えられ、シリンダーが解錠状態を呈する場合、斜面は位置決めユニットをダイヤル錠から遠く分離するように押し、シリンダーが施錠状態を呈する場合、斜面と位置決めユニットとは相互に分離されることを特徴とする請求項１に記載の複合式ロック。
【請求項５】
スライドユニットは一つの第一連接部と、二つの第二連接部と、二つの係止部とを有し、二つの第二連接部は別々に第一連接部の両端に装着され、係止部は別々に第二連接部の外端部に装着され、かつ嵌合部を有し、嵌合部はロックユニットのそれぞれと結合または分離するのに用いられることを特徴とする請求項１に記載の複合式ロック。
【請求項６】
第一連接部は第一貫通孔及び第二貫通孔を有し、位置決めユニットは第一連接部と基座との間に装着され、かつ柱体及びストッパーを有し、柱体は第一貫通孔に装着され、ストッパーは第二貫通孔に装着され、かつダイヤル錠のそれぞれの嵌合槽に嵌め込まれる、あるいは嵌合槽と分離されることを特徴とする請求項５に記載の複合式ロック。
【請求項７】
第一連接部はガイド槽を有し、ガイド槽は第二貫通孔の一側から遠く離れた第一貫通孔に位置付けられ、回転つまみは凸柱を有し、スライドユニットはガイド槽を有し、回転つまみが基座に装着されている場合、凸柱がガイド槽内に位置付けられることでスライドユニットを移動可能であることを特徴とする請求項６に記載の複合式ロック。
【請求項８】
第一連接部は中心孔を有し、中心孔は第一貫通孔と第二貫通孔との間に位置付けられ、シリンダーの先端部は中心孔に装着されることを特徴とする請求項６に記載の複合式ロック。
【請求項９】
基座は底座と頂蓋セットと二つの固定片とを有し、頂蓋セットが底座の最上側に装着され、二つの固定片が別々に頂蓋セットの両側に装着されることで基座の内部に収納室が形成され、スライドユニットは収納室の中に装着されることを特徴とする請求項５に記載の複合式ロック。
【請求項１０】
頂蓋セットは収納室に繋がる第一孔、第二孔及び第三孔を有し、回転つまみは第一孔に装着され、ダイヤル錠は第二孔に装着され、シリンダーは第三孔に装着されることを特徴とする請求項９に記載の複合式ロック。
【考案の詳細な説明】
【技術分野】
【０００１】
本考案は、ロックに関し、特にダイヤル錠とシリンダーとを組み合わせた複合式ロックに関するものである。
【背景技術】
【０００２】
日常生活で使用されているアタッシュケースはその構造として箱体、蓋及びロックを含み、かつロックにより箱体と蓋とを相互に結合させることで、アタッシュケースに保存される物品の安全性を高めることが可能である。
よく見掛けられているロックは、ダイヤル錠とシリンダーの二種類に分けられる。アタッシュケースのロックがダイヤル錠である場合、使用者は特定の数字を入力するか、所定の回数回さないとアタッシュケースが開かない。またアタッシュケースのロックがシリンダーである場合、使用者はそれに対応する鍵を鍵穴に挿入して鍵穴を回転させないとアタッシュケースが開かない。
【０００３】
しかし、ダイヤル錠付きアタッシュケースの使用者が解錠番号や操作法を忘れてしまうと、アタッシュケースは開かない。アタッシュケースの中に保存される物品を取るためにはアタッシュケースを修理に出すか、アタッシュケースを壊すほかない。したがって、使用に不便な点があるだけでなく非常に使用者を困らせる。またシリンダー付きアタッシュケースの使用者が鍵を失くした場合、アタッシュケースを開けるのにほかの方法に頼る必要がある。
【考案の開示】
【考案が解決しようとする課題】
【０００４】
本考案の主な目的は、ダイヤル錠とシリンダーとを組み合わせたロックであって、ロックが物品に適用される場合、使用者はダイヤル錠またはシリンダーを選択して物品を開けることが可能であるため、物品の安全性を確保可能であると同時に、使用上の利便性を向上させることが可能である複合式ロックを提供することである。
【課題を解決するための手段】
【０００５】
上述の目的を達成するために、本考案による複合式ロックは基座、少なくとも一つのロックユニット、スライドユニット、回転つまみ、ダイヤル錠、位置決めユニット、弾性ユニット、シリンダーを備える。そのうちロックユニットは基座に装着され、かつ基座に対しずれて回転可能である。スライドユニットは基座に装着され、係止部を少なくとも一つ有し、解錠位置と結合位置の間で移動可能であり、かつ解錠位置に据えられる場合、係止部とロックユニットとを分離し、結合位置に据えられる場合、係止部とロックユニットとを結合させる。回転つまみは基座に装着され、第一角度と第二角度の間で移動し、かつスライドユニットを移動させることが可能であり、第一角度に回転している場合、スライドユニットは結合位置に据えられ、第二角度に回転している場合、スライドユニットは解錠位置に据えられる。ダイヤル錠は基座に装着され、複数の回転盤を有し、回転盤のそれぞれが嵌合槽を有し、ダイヤル錠が解錠状態を呈する場合、嵌合槽は互いに繋がり、ダイヤル錠が施錠状態を呈する場合、嵌合槽は相互に交錯する。位置決めユニットはスライドユニットに移動可能に装着され、かつスライドユニットの駆動により、嵌合槽に嵌め込まれるかあるいはそれと分離される。弾性ユニットは基座と位置決めユニットの間に装着され、弾力により位置決めユニットを押してダイヤル錠の回転盤に移動させる。シリンダーは基座に装着され、先端部を有し、シリンダーが解錠状態を呈する場合、先端部は位置決めユニットを押し、かつ位置決めユニットをダイヤル錠から遠く分離させるように押し、またシリンダーが施錠状態を呈する場合、先端部と位置決めユニットは相互に分離される。これにより、ダイヤル錠が解錠状態を呈する場合、シリンダーは施錠状態を呈し、回転つまみが第二角度に回転している場合、位置決めユニットはスライドユニットにより駆動され、ダイヤル錠の嵌合槽に嵌め込まれ、かつロックユニットと係止部は相互に分離するため、ロックユニットは基座に対しずれて回転可能であり、またダイヤル錠が施錠状態を呈する場合、シリンダーは解錠状態を呈し、シリンダーの先端部は位置決めユニットをダイヤル錠から分離するように押し、回転つまみが第二角度に回転している場合、ロックユニットと係止部は相互に分離される。したがって、本考案はダイヤル錠とシリンダーとを組み合わせた構造であるため、使用者はダイヤル錠またはシリンダーを選択して物品を開けることが可能である。これにより本考案を採用する物品の安全性を確保可能であると同時に、使用上の利便性を向上させることが可能となる。
【考案を実施するための最良の形態】
【０００６】
以下、本考案の構造と効果を実施例を挙げて図面に基づいて説明する。まず図面の説明は下記の通りである。
図１は本考案の実施例による複合式ロックを示す立体分解図である。
図２は本考案の実施例による複合式ロックを示す平面図であって、回転つまみが第一角度に位置する状態を示す平面図である。
【０００７】
図３は図２の３−３線に沿った断面図である。
図４は、本考案の実施例による複合式ロックのスライドユニットを解錠位置に移動させている状態を示す模式図である。
図５は、本考案の実施例による複合式ロックの回転つまみを第二角度に回転させている状態を示す模式図である。
【０００８】
図６は、本考案の実施例による複合式ロックのシリンダーが解錠されている状態を示す模式図である。
図７は図６の７−７線に沿った断面図であって、シリンダーの先端部により位置決めユニットが押された状態を示す断面図である。
図８は、本考案の実施例による複合式ロックのスライドユニットを解錠位置に移動させている状態を示す模式図である。
【０００９】
図１から図３に示すのは本考案の実施例による複合式ロック１０である。ロック１０は下記のものを備える。
基座２０は、細長い底座２１と頂蓋セット２２と二つの固定片２３を有し、頂蓋セット２２が底座２１の最上側に装着され、二つの固定片２３が別々に頂蓋セット２２の両側に装着されることで基座２０の内部に収納室２４が形成される。また頂蓋セット２２は収納室２４に繋がる第一孔２６、第二孔２７及び第三孔２８を有し、固定片２３は収納室２４に繋がる穿孔２９を有する。またハンドル９０は頂蓋セット２２に装着される。
【００１０】
二つのロックユニット３０は、それぞれフック部３１を有する。ロックユニット３０はピン３２により基座２０の固定片２３に装着される。このためにロックユニット３０は固定片２３に対しずれて回転可能であり、かつ（図４に示す通り）傾斜を呈するか、（図３に示す通り）固定片２３と重なる。またロックユニット３０は往復移動可能な押しボタン３３を有し、押しボタン３３とロックユニット３０の間にはスプリング３４を有し、スプリング３４は押しボタン３３を押してロックユニット３０の外側に移動させる。ロックユニット３０と固定片２３とが重なっている場合、フック部３１は固定片２３の穿孔２９を貫通して基座２０の収納室２４に入り込み、押しボタン３３はスプリング３４により押され固定片２３に引っかかる。また押しボタン３３がロックユニット３０の内部へ押される場合、押しボタン３３と固定片２３は相互に分離され、ロックユニット３０は回転させられ傾斜を呈する。
【００１１】
スライドユニット４０は、一つの薄片を呈する第一連接部４１と二つの第二連接部４２と二つの係止部４３を含む。第一連接部４１は中心孔４４を有し、中心孔４４は両側に第一貫通孔４５と第二貫通孔４６を有し、第一貫通孔４５は外側に細長いガイド槽４７を有する。二つの第二連接部４２は別々に第一連接部４１の両端に装着され、係止部４３は別々に第二連接部４２の外端部に装着される。また係止部４３は嵌合部４８を有する。スライドユニット４０は基座２０の収納室２４の中に装着され、係止部４３と第二連接部４２は底座２１の内壁に突き当たるため、第一連接部４１は収納室２４にぶら下がっている。スライドユニット４０は底座２１に沿い解錠位置（図４に示す通り）と結合位置（図３に示す通り）の間で平行移動することが可能である。ロックユニット３０と固定片２３とが重なり、スライドユニット４０が解錠位置に据えられている場合、係止部４３の嵌合部４８とロックユニット３０のフック部３１は相互に分離される。スライドユニット４０が結合位置に据えられている場合、係止部４３の嵌合部４８とロックユニット３０のフック部３１は相互に結合する。
【００１２】
回転つまみ５０は、凸柱５１を有する。かつ回転つまみ５０は頂蓋セット２２の第一孔２６に装着されることで凸柱５１を第一連接部４１のガイド槽４７内に配置する。また回転つまみ５０は基座２０に対し、第一角度（図２に示す通り）と第二角度（図５に示す通り）の間で回転可能である。回転つまみ５０が第一角度から第二角度に回転している場合、凸柱５１はガイド槽４７の壁面に突き当たり、スライドユニット４０は凸柱５１により駆動され、解錠位置に移動させられる。回転つまみ５０が第二角度から第一角度に回転している場合、スライドユニット４０は凸柱５１により駆動され、結合位置に移動させられる。
【００１３】
ダイヤル錠６０は、数字盤６１と数字盤６１に伴い回転する若干の回転盤６２を有し、回転盤６２のそれぞれは外周に嵌合槽６３を有する。ダイヤル錠６０が解錠状態を呈する場合、嵌合槽６３は互いに繋がり、ダイヤル錠６０が施錠状態を呈する場合、嵌合槽６３は相互に交錯する。この部分は周知の技術であるため詳しい説明を省く。ダイヤル錠６０は基座２０の第二孔２７に装着されることで数字盤６１を基座２０の外側に配置する。回転盤６２のそれぞれは基座２０の収納室２４に位置付けられる。また回転盤６２のそれぞれの嵌合槽６３が互いに繋がっている場合、嵌合槽６３のそれぞれは第一連接部４１の第二貫通孔４６に対応する。
【００１４】
位置決めユニット７０は、細長い本体７１を有し、本体７１の最上面は一端に柱体７２を有し、他端にストッパー７３を有する。位置決めユニット７０は第一連接部４１と底座２１の間に装着されるため、柱体７２は第一連接部４１の底面から第一貫通孔４５内に装着され、ストッパー７３は第二貫通孔４６内に装着される。これにより、位置決めユニット７０はスライドユニット４０の第一連接部４１に伴い平行移動し、かつ第一連接部４１に対し上下移動することが可能である。またダイヤル錠６０が解錠状態を呈する場合、位置決めユニット７０はスライドユニット４０の駆動により、ダイヤル錠６０の嵌合槽６３に嵌合または分離される。
【００１５】
弾性ユニット７５は、金属板を折り曲げることで形成される。弾性ユニット７５はねじ７６により底座２１と位置決めユニット７０の本体７１との間に固定される。また弾性ユニット７５は弾力により位置決めユニット７０を上に押して移動させる。
シリンダー８０は、鍵穴８１を有し、その底部に先端部８２を有し、先端部８２はらせん状の斜面８３を有する。またシリンダー８０は基座２０の第三孔２８に装着されることで鍵穴８１を頂蓋セット２２に露出させる。先端部８２は第一連接部４１の中心孔４４を貫通して収納室２４内に位置付けられ、かつ先端部８２の斜面８３は位置決めユニット７０の本体７１の上方に位置付けられる。図７に示すように、シリンダー８０の鍵穴８１に鍵（図示せず）を挿入して回転させる場合、シリンダー８０は解錠状態を呈すると同時に、先端部８２を同期回転させる。斜面８３は位置決めユニット７０の本体７１に突き当たる。かつ斜面８３は形の特性により位置決めユニット７０を押して底座２１へ移動させる。位置決めユニット７０のストッパー７３はダイヤル錠６０の嵌合槽６３から遠く離れているため、シリンダー８０が施錠状態を呈する場合、先端部８２と位置決めユニット７０は相互に分離される。
【００１６】
上述の構造により、ロック１０がアタッシュケースの箱体（図示せず）に適用されている場合、蓋の二つのフック部８５は底座２１の二つの孔８６から収納室２４内に挿入される。またロックユニット３０と固定片２３とを重ねることによりロックユニット３０とフック部８５とを相互に結合させることが可能である。また回転つまみ５０を第一角度に回転させている場合、係止部４３とロックユニット３０とは結合するため、蓋と箱体とを相互に結合させる。この時、位置決めユニット７０のストッパー７３は回転盤６２の外周に位置付けられるため、使用者は回転つまみ５０を回してもスライドユニット４０を解錠位置に移動させることができない。したがって、アタッシュケースを開けることは不可能である。
【００１７】
図４と図５に示すように、使用者がダイヤル錠６０によりアタッシュケースを開ける場合、まず所定の回転方法でダイヤル錠６０の数字盤６１を回し、ダイヤル錠６０を解錠状態にする。続いて回転つまみ５０を第二角度に回転させる。この時、位置決めユニット７０のストッパー７３は駆動され、ダイヤル錠６０の嵌合槽６３内に入り込み、回転盤６２の回転を抑制する。またスライドユニット４０を解錠位置に移動させている場合、使用者はロックユニット３０の押しボタン３３を押してロックユニット３０を傾斜させるように回すことで、ロックユニット３０とフック部８５とを相互に分離することができ、即ち蓋と箱体とを分離することが可能である。
【００１８】
また使用者がダイヤル錠６０の回転方法を忘れてしまった場合、図６から図８に示すように、シリンダー８０の鍵穴８１に鍵を挿入して先端部８２を回転させ、かつ先端部８２の斜面８３により位置決めユニット７０を押す。この時、位置決めユニット７０のストッパー７３はダイヤル錠６０から遠く離れている。続いて回転つまみ５０を第二角度に回転させる。位置決めユニット７０のストッパー７３はダイヤル錠６０から遠く離れているため、回転盤６２はストッパー７３の邪魔にならず、スライドユニット４０は解錠位置に移動可能である。したがって、係止部４３とロックユニット３０とを分離し、ロックユニット３０を開いてフック部８５と分離することにより、アタッシュケースを開けることが可能となる。
【００１９】
上述の説明のように、ダイヤル錠とシリンダーとを組み合わせる構造により、使用者はダイヤル錠またはシリンダーを選択してアタッシュケースまたはロックを必要とする物品などを開けることが可能である。安全性を確保可能であると同時に、使用上の利便性を向上させることが可能となる。
【図面の簡単な説明】
【００２０】
【図１】本考案の実施例による複合式ロックを示す立体分解図である。
【図２】本考案の実施例による複合式ロックを示す平面図であって、回転つまみが第一角度に位置する状態を示す平面図である。
【図３】図２の３−３線に沿った断面図である。
【図４】本考案の実施例による複合式ロックのスライドユニットを解錠位置に移動させている状態を示す模式図である。
【図５】本考案の実施例による複合式ロックの回転つまみを第二角度に回転させている状態を示す模式図である。
【図６】本考案の実施例による複合式ロックのシリンダーが解錠されている状態を示す模式図である。
【図７】図６の７−７線に沿った断面図であって、シリンダーの先端部により位置決めユニットが押された状態を示す断面図である。
【図８】本考案の実施例による複合式ロックのスライドユニットを解錠位置に移動させている状態を示す模式図である。
【符号の説明】
【００２１】
１０  複合式ロック、２０  基座、２１  底座、２２  頂蓋セット、２３  固定片、２４  収納室、２６  第一孔、２７  第二孔、２８  第三孔、２９  穿孔、３０  ロックユニット、３１  フック部、３２  ピン、３３  押しボタン、３４  スプリング、４０  スライドユニット、４１  第一連接部、４２  第二連接部、４３  係止部、４４  中心孔、４５  第一貫通孔、４６  第二貫通孔、４７  ガイド槽、４８  嵌合部、５０  回転つまみ、５１  凸柱、６０  ダイヤル錠、６１  数字盤、６２  回転盤、６３  嵌合槽、７０  位置決めユニット、７１  本体、７２  柱体、７３  ストッパー、７５  弾性ユニット、７６  ねじ、８０  シリンダー、８１  鍵穴、８２  先端部、８３  斜面、８５  フック部、８６  孔、９０  ハンドル
【図１】
0003116315.tif 000003
【図２】
0003116315.tif 000004
【図３】
0003116315.tif 000005
【図４】
0003116315.tif 000006
【図５】
0003116315.tif 000007
【図６】
0003116315.tif 000008
【図７】
0003116315.tif 000009
【図８】
0003116315.tif 000010